(57)【要約】【課題】HS-SCCH共通チャンネル用の送信電力を適切に制御できるようにする通信システム、送信機、受信機及び方法を提供すること。【解決手段】各UE（１３０A）につき、そのUEを特定して共通チャンネル送信が行われる度に増分するシーケンス番号カウンタ（２００）を有する送信主体（１５０A）による通信電力制御のためのシステム、送信機、受信機及び方法。カウンタの値は、メッセージ内に信号送信され、メッセージ自体をもって、（又は他の信号送信手段をもって）、Uuインタフェースを渡る。意図された受信者UEが正しくメッセージを復号すると、それはカウンタ値又はシーケンス番号をも復号する。それは、このカウンタ値又はシーケンス番号をメモリ（３００）内に保管している最後に正しく受信したシーケンス番号と対比し、欠落しているシーケンス番号があるかを推論し、これにより、送信電力制御に作用する。【選択図】図１
2010172017.tif 000002
【特許請求の範囲】
【請求項１】
通信電力制御を行う通信システムであって：
送信機において、
所定の受信機のために意図された送信の数を表す値を保有するための手段、及び
前記送信機保有手段値を通信するための手段；及び
受信機において、
前記受信機で良好に復号された最後の送信と関連する前記送信機保有手段値を保有するための手段、及び
前記受信機保有手段値と前記通信された送信機保有手段値とを比較し、これに従って送信電力制御に作用するための手段；
から構成されるシステム。
【発明の詳細な説明】
【技術分野】
【０００１】
本発明は、通信システムに関し、限定されないものの、特に、共通チャンネルを使用する移動通信システムの電力制御、例えば、HS-SCCHs（High  Speed  Shared  Control  Channels）に関するものである。
【背景技術】
【０００２】
本発明の属する技術分野では、多くの通信システムは共通チャンネルを使用することが知られている。これらチャンネルは、一つの送信地点から特定の所望受信地点に情報を送信するために使用されている。一般に、これらの共通チャンネルを使用する場合において、全ての受信地点は、自身を意図した送信のために「聞き入っている」のである。ある送信が送られてきた特定の受信機は、通常、共通送信における「アドレス」又はIDフィールドを通じて識別されるのである。各受信機は、この送信が自身を意図しているものかを識別するために、このアドレスを用いる。もし、自身を意図したものでなければ、この送信は破棄される。もし、このアドレスフィールドがある受信機のそれと一致する場合には、受信機は、この送信されてきた情報を完全に復号することを試みる。
【０００３】
この共通チャンネルを使用したものの例としては、3GPP（3rd  Generation  Partnership  Project）Release  5より指定されているHS-SCCHs（High  Speed  Shared  Control  Channel）がある。
【０００４】
現在の3GPPのTDD（Time  Division  Duplex）モード用のRelease  5の仕様には問題があり、これにおいて、送信電力制御（TPC、Transmit  Power  Control）に基づく電力制御方式がHS-SCCHの送信電力を制御するのに使用されるのである。ユーザ装置（User  Equipment、UE）は、そのUEによって正しく復号された（そして、すなわち、そのUEを意図した）HS-SCCHのSIR（Signal  to  Interference  Ratio）を測定することが可能である。その後、UEは、その測定されたSIRを基準目標SIRと比較し、電力を上げるか下げるかを送信機に表示するバイナリTPC指令を生成する。基準SIR目標は、目標誤り率に基づいて設定される。低い目標誤り率には、高いSIR目標が設定され、逆もまた同じである。また、目標誤り率の取得を必要とされるSIR目標は、ラジオチャンネル伝搬の条件によって異なる。この「SIR対誤り率(SIR-to-error-rate)」マッピングに影響するパラメータとしては、例えば、UE速度やチャンネルにおける多重通路（反射）の量がある。よって、（TPCに基づく電力制御方式における）UEの役割は、測定された誤り率又は誤り統計量に応じてSIR目標を自律的に適応させることである。正しい誤り統計量が無ければ、UEは、どの程度送信電力を好ましく制御しているのかを認識することができず、必ずしも目標誤り率に及ばないことがある。
【発明の概要】
【発明が解決しようとする課題】
【０００５】
しかし、この方法では問題点があり、それは、HS-SCCH共通チャンネル用のTPC方式において、UEは、ある送信が自身を意図していないもの（復号化は失敗する）と、ある送信が自身を意図しているものであるが、ノイズ及び／又は干渉によって不良になったものとの識別ができないことである。このようにいくつのメッセージが、実際にUEに送信されたかを検出できないことは問題である。なせなら、UEは、結局、実際の誤り率を判断することができないからである（UEは誤りのものがUE全てにわたって、全体としていくつあったかを把握しているものの、いくつが自身を意図して送信されたのか或いはそれに送信されたもののうち、いくつが誤りであったのかを把握していないのである）。このように、HS-SCCH共通チャンネル用のTPC方式は正確に作動することができず或いは正しい誤り率に達することがUEにとって極めて困難となるのである。
【０００６】
本発明の課題は、HS-SCCH共通チャンネル用の送信電力を適切に制御できるようにする通信システム、送信機、受信機及び方法を提供すること。
【課題を解決するための手段】
【０００７】
本発明の一形態による通信システムは、
通信電力制御を行う通信システムであって：
送信機において、
所定の受信機のために意図された送信の数を表す値を保有するための手段、及び
前記送信機保有手段値を通信するための手段；及び
受信機において、
前記受信機で良好に復号された最後の送信と関連する前記送信機保有手段値を保有するための手段、及び
前記受信機保有手段値と前記通信された送信機保有手段値とを比較し、これに従って送信電力制御に作用するための手段；
から構成されるシステムである。
【図面の簡単な説明】
【０００８】
【図１】本発明が使用される、HS-SCCH共通チャンネルを使用するUTRA  TDDシステムのブロック図。
【図２】図１のUTRA  TDDシステムにおけるUEとノードBとを示す概略的ブロック図。
【発明を実施するための形態】
【０００９】
以下、本発明に係る通信電力制御のための一つのシステム、送信機、受信機及び方法について、例示的にのみ、添付の図面に参照しつつ、説明する。
【００１０】
まず、図１を参照するに、一般的な、標準UMTSネットワーク（１００）は、便宜的に：ユーザSIM(USIM)ドメイン（１２０）と、移動体装置ドメイン（１３０）とからなるユーザ装置ドメイン（１２０）；及びアクセスネットワークドメイン（１５０）と、サービス提供ネットワークドメイン（１７０）、トランジットネットワークドメイン（１８０）、及びホームネットワークドメイン（１９０）を有するコアネットワークドメイン（１６０）とからなるインフラドメイン（１４０）；から構成されるものと考えられる。
【００１１】
移動体装置ドメイン（１３０）において、ユーザ装置UE（１３０A）は、有線Cuインタフェースを介して、USIMドメイン１２０の中のユーザSIM（１２０A）からデータを受信する。UE（１３０A）は、無線Uuインタフェースを介して、ネットワークアクセスドメイン（１５０）の中のノードB（１５０A）とデータの通信を行う。ネットワークアクセスドメイン（１５０）内で、ノードB（１５０A）は、Iubインタフェースを介して、ラジオネットワークコントローラ、即ち、RNC（１５０B）と通信を行う。RNC（１５０B）は、Iurインタフェースを介して、他のRNC（図示せず）と通信を行う。RNC(１５０B)は、Iuインタフェースを介して、サービス提供ネットワークドメイン（１７０）の中のSGSN（１７０A）と通信を行う。サービス提供ドメイン（１７０）内で、SGSN（１７０A）は、Gnインタフェースを介して、GGSN（１７０B）と通信を行い、SGSN（１７０A）は、Gsインタフェースを介して、VLRサーバ（１７０C）と通信を行う。SGSN（１７０A）は、Zuインタフェースを介して、ホームネットワークドメインの中のHLRサーバ（１９０A）と通信を行う。GGSN（１７０B）は、Yuインタフェースを介して、トランジットネットワークの中の公衆データネットワーク（１８０A）と通信を行う。
【００１２】
このように、図１が示すように、RNC(１５０B)、SGSN（１７０A）及びGGSN（１７０B）の素子は、従来的に、アクセスネットワークドメイン（１５０）とサービス提供ネットワークドメイン（１７０）に渡って分離された（各々のソフトウェア／ハードウェアプラットホームにおける）別途独立のユニットとして提供されている。
【００１３】
RNC（１５０B）は、いくつかのノードB用の資源の割り振りと制御の役割を負うUTRAN素子であり、一般に、５０から１００のノードBが一つのRNCによって制御され得る。また、RNCは、ハンドオーバ及びマクロダイバーシチを補助すべく、（インタフェースIurを介して）互いに通信を行う。
【００１４】
SGSN（１７０A）は、ロケーションレジスタ（HLR及びVLR）のインタフェース及びセッション制御の役割を負うUMTSコアネットワーク素子である。SGSNは、多くのRNC用の大規な集中化されたコントローラである。
【００１５】
GGSN（１７０B）は、コアパケットネットワーク内のユーザデータを最終の目的地（例えば、インターネットサービスプロバイダ、ISP）へと集中及びトンネルする役割を負うUMTSコアネットワーク素子である。
【００１６】
UTRA  TDDシステム（１００）は、共通チャンネルを使用する。これらチャンネルは、一つの送信地点（ノードB−１５０A）から特定の所望受信地点（UEー１３０A）に情報を送信するために使用されている。一般に、これらの共通チャンネルを使用する場合において、全ての受信地点は、自身を意図した送信のために「聞き入っている」のである。ある送信が送られてきた特定の受信機は、通常、共通送信における「アドレス」又はIDフィールドを通じて識別されるのである。各受信機は、この送信が自身を意図しているものかを識別するために、このアドレスを用いる。もし、自身を意図したものでなければ、この送信は破棄される。もし、このアドレスフィールドがある受信機のそれと一致する場合には、受信機は、この送信されてきた情報を完全に復号することを試みる。
【００１７】
この共通チャンネルを使用した実施例としては、3GPP（3rd  Generation  Partnership  Project）Release  5より指定されているHS-SCCHs（High  Speed  Shared  Control  Channel）があるーwww.3gpp.com.のウェブサイトで入手可能。Release  5は、FDD及びTDDのいずれに対しても適用可能である。以下の例は、TDDに基づいて、説明されている。HS-SCCHの電力制御をFDDで行う他の方法もあるが、FDDでのHS-SCCHは、代わりに他の電力制御技術を採用してもよい。よって、本発明は、TDD及びFDDのいずれに対しても適用可能であることが理解できる。
【００１８】
現在の3GPPのTDD（Time  Division  Duplex）モード用のRelease  5の仕様には問題があり、これにおいて、送信電力制御（TPC、Transmit  Power  Control）に基づく電力制御方式がHS-SCCHの送信電力を制御するのに使用されるのである。ユーザ装置（User  Equipment、UEー１３０A）は、そのUEによって正しく復号された（そして、すなわち、そのUEを意図した）HS-SCCHのSIR（Signal  to  Interference  Ratio）を測定することが可能である。その後、UEは、その測定されたSIRを基準目標SIRと比較し、電力を上げるか下げるかを送信機に表示するバイナリTPC指令を生成する。基準SIR目標は、目標誤り率に基づいて設定される。低い目標誤り率には、高いSIR目標が設定され、逆もまた同じである。また、目標誤り率の取得を必要とされるSIR目標は、ラジオチャンネル伝搬の条件によって異なる。この「SIR対誤り率(SIR-to-error-rate)」マッピングに影響するパラメータとしては、例えば、UE速度やチャンネルにおける多重通路（反射）の量がある。よって、（TPCに基づく電力制御方式における）UEの役割は、測定された誤り率又は誤り統計量に応じてSIR目標を自律的に適応させることである。正しい誤り統計量が無ければ、UEは、どの程度送信電力を好ましく制御しているのかを認識することができず、必ずしも目標誤り率に及ばないことがある。
【００１９】
しかし、この方法では問題があり、それは、HS-SCCH共通チャンネル用のTPC方式において、UEは、ある送信が自身を意図していないもの（復号化は失敗する）と、ある送信が自身を意図しているものであるが、ノイズ及び／又は干渉によって不良になったものとの識別ができないことである。このようにいくつのメッセージが、実際にUEに送信されたかを検出できないことは問題である。なせなら、UEは、結局、実際の誤り率を判断することができないからである（UEは誤りのものがUE全てにわたって、全体としていくつあったかを把握しているものの、いくつが自身を意図して送信されたのか或いはそれに送信されたもののうち、いくつが誤りであったのかを把握していないのである）。このように、HS-SCCH共通チャンネル用のTPC方式は正確に作動することができず或いは正しい誤り率に達することがUEにとって極めて困難となるのである。
【００２０】
ここで、図２に参照すると、システム１００は、EUが共通チャンネル（HS-SCCH）に対してより正確な誤り率の測定を可能ならしめる方式を使用している。
【００２１】
この方式は極めて簡単で、以下のように働くものである。
送信主体（この場合においては、ノードB−１５０A）は、各UEに対応して、該UEを特定した共通チャンネル送信が行われる都度に増分するシーケンス番号カウンタ（そのうちの一つが図示されているー２００）を有している。そのカウンタは、無限の長さのものである必要はなく、有限の循環カウンタであってもよい。使用されるカウンタの長さ（ラップアラウンドが生じる前）は、UEによる共通チャンネルの逐次の良好な復号の間における連続誤りをいくつ検出することが希望されているかという機能である。即ち、例えば、高い誤り率に対しては、２０の連続誤りの検出が希望されているとすると、カウンタの長さは、２０である必要があるが、低い誤り率に対しては、誤りの発生が稀であり、連続誤りが発生する可能性が低いため、より短い長さのカウンタが使用されてもよい。
【００２２】
誤りが発生する性質に関わる他の要因も考慮する必要もある（それらがまとまりとして発生するものなのか、又は統計的にそれらは全て別々のものなのか等）。
【００２３】
共通チャンネルメッセージが特定の受信者（UEー１３０A）に送信される都度、その受信者に対応するカウンタ（２００）は増分される。カウンタの値は、メッセージ内に信号送信され、メッセージ自体をもって、（又は他の信号送信手段をもって）、Uuインタフェースを渡る。意図された受信者UEが正しくメッセージを復号すると、それはカウンタ値又はシーケンス番号をも復号する。それは、このカウンタ値又はシーケンス番号をメモリ３００内に保管している最後に正しく受信したシーケンス番号と対比し、（１つ以上の違いがある場合）欠落しているシーケンス番号があるかを推論する。欠落したシーケンス番号がある場合には、いくつが欠落しているのか、及び、最後にメッセージが正しく復号されて以来、合計でいくつ受信者に送信されたかを推論することができる。正しく復号されたメッセージの各組の間にこの測定技術を適用することで、受信者は、（他者を意図した伝達を無視しながら）自身に送信された伝達の誤り統計について完全で正確なイメージを描くことが可能になる。
【００２４】
このように、本方式は、送信主体が受信者を特定した正しい誤り統計量を生成することを可能ならしめる情報を受信対象に提供できるようにするものである。TDD用の3GPP  Release  5のHS-SCCHに適用する場合、この技術をもって、EUがHS-SCCHの正しい誤り統計量を計算し、所望のHS-SCCH誤り目標に合致したSIR目標を正しく設定し、最終的にTPC指令方向を「電力増」或いは「電力減」へと正しく設定することができるようにサポートすることができる。この（バイナリ）TPC指令はアップリンク送信（この場合では、HS-SICHーHigh-Speed  Shared  Information  Channel）における送信主体（ノードB）に送信される。
【００２５】
シーケンス番号は、既にパケットのシーケンスの配列を識別するために3GPP内及び他の通信システムで多用されているが、今まで、これらは、一般に、以下のことを実現するために使用されてきた：
１）送信された配列に対して順序が適切でない状態でパケットを受信した場合において、パケットを正しく再配列すること
２）自動繰り返し要求方式、欠落情報の再送信の要求を行うために欠落パケットを識別すること
３）パケットの完全性を保護すること。
【００２６】
しかしながら、TPCに基づく電力制御（バイナリフィードバック又は他のフィードバック形式のもの）の向上を図る目的で、受信側の誤り率の監視の向上を実現するためにシーケンス番号を共通チャンネル送信に適用するという開示又は提案は無かったのである。
【００２７】
尚、TPCに基づく電力制御の向上を図る目的で、受信側の誤り率の監視の向上を実現する上記方法は、ノードBにおけるプロセッサ上（図示せず）及びUEにおけるプロセッサ上（図示せず）で働くソフトウェアとして実行することが可能であり、このソフトウェアは、磁気或いは光による電子計算機ディスクなどの適当なデータ媒体（これも図示せず）に設けられた電子計算機プログラム素子として提供されることが可能である。
【００２８】
尚、TPCに基づく電力制御の向上を図る目的で、受信側の誤り率の監視の向上を実現する上記方法は、代わりに、ASIC（Application  Specific  Integrated  Integrated  Circuit）又はFPGA（Field  Programmable  Gate  Array）などの集積回路（図示せず）などの形態で、ハードウェアとして実行することも可能である。
【００２９】
上記通信電力制御に係るシステム、送信機、受信機及び方法は、以下の利点がある：
送信主体が受信者を特定した正しい誤り統計量を生成することを可能ならしめる情報を受信対象に提供できる。TDD用の3GPP  Release  5のHS-SCCHに適用する場合、この技術をもって、EUがHS-SCCHの正しい誤り統計量を計算し、所望のHS-SCCH誤り目標に合致したSIR目標を正しく設定し、最終的にTPC指令方向を「電力増」或いは「電力減」へと正しく設定することができるようにサポートすることができる。
付録
この付録は、本発明に係る実施例を3GPP規格に適用するための3GPP会議で提案された発表を含むものである。
TDDでのHS-SCCH電力制御のためのシーケンスナンバリング
１  背景
Release  5における高いシステム容量を提供するには、HS-SCCHの正確な電力制御が重要となる。
【００３０】
HS-SCCH[1]の電力制御を実行するためにノードBが利用できるFDD用の方法は、二つある。それらとは：
１．HS-SCCH電力は、DL  DPCHに関係するUL  DPCCHで受信されたTPCコマンドに応じて調整される。DL  DPCHとHS-SCCHとの符号化の違いを補正するためにオフセット調整が必要である。
２．HS-SCCH電力は、DPCCH-HSについて報告されたCQI測定基準から推測される。再び、HS-DSCHとHS-SCCHとの推奨されたTFRCの処理利得及びEb/N0の違いを補正するために調整要因が必要である。
更に、上記二つの方式の組み合わせを使用してもよい。
TDD用では、上記方式のいずれについても直接使用することはできない。なぜならDL  DPCH、HS-PDSCH、及びHS-SCCHに使用される各タイムスロットにおいて確認できるUEにおける干渉の有意な差が存在し得るからである。よって、TDDでのHS-SCCH電力制御に対する代わりの方法が必要であると結論付けることができる。
【００３１】
現在では、TDD用のrelease  5規格内の方式としては、HS-SICH[2]でUEがHS-SCCH電力制御固有のTPCコマンドの独立のストリームを送信するものがある。しかしながら、[3]、[4]で記載されているように、この方式に関連する問題がある。以下のことにより、全ての状況に対して、HS-SCCHのための目標品質を保証することができないのである。
１．インナーループのためにSIR目標値を生成するアウターループ要素はUE内に存在するものの、そのUEはHS-SCCH  BLERの確実な推定を行うことができないのである。なぜなら、それが、自信を意図したもので誤りとして受信されたHS-SCCHと他のUEに送信されたHS-SCCHとの識別ができないからである。
２．UE[2]に対して説明されたアウターループアルゴリズムは、各TTIにおけるUEに対してHS-SCCHの割り当てが行われている場合にのみ適用可能である。これは、[5]において述べられている。それ以外の場合については、そのループは、BLERを過大評価してしまい、その結果、正しく機能しなくなるのである。
【００３２】
このように、TDD用のrelease  5の現在の状況は：
・この仕様の方式では、一般的動作条件の下で、HS-SCCHの目標品質を得ることができないのである。これは、また、WG4試験の含意を有するものである。
・さらに、UEにて確認できるタイムスロットに依存した干渉の性質が原因で、DPCH  TPCコマンド及び／又はCQI情報（FDD参照）などの代わりのHS-SCCH電力制御方式は、ノードＢによって適用できないのである。
・HS-SCCHに対する乏しい電力制御性能の結果として、TDDでのシステム容量は、不利になる。
【００３３】
従って、解決策が必要であることは明らかであり、これらのうち、いくつかは先行する同輩の論文で提案されている[3][4]。前回のパリでのWG1会議＃２５の[4]について、より詳細な提案が次回の会議までに提出されることが提唱された。それ以来、より新しい改良された簡単な方式が案出された。これは、上記課題を回避し、最も見込みのあるものと考えられる。
【００３４】
この論文は、その方式の詳細な説明を提供し、Release  5規格に対する適切な草案CRを開示するものである。
２  提案する方式
セクション１で示されているように、TPCに基づくHS-SCCH電力制御方式の根本的問題点は、アウターループがUEに位置しなければならないものの、電力制御の目的で十分に正確なHS-SCCHメッセージ誤り率の推測を行うことができないことである。
【００３５】
この提案は、各UEにつきノードBに簡単な循環シーケンス番号であって、新たなHS-SCCHがそのUEに送信される都度に増分するものを使用することによって上記課題を回避するものである。このUEの循環シーケンス番号は、HS-SCCH自身の内部のHS-SCCH循環シーケンス番号(HCSN)フィールドと称されるフィールドに信号送信される。
【００３６】
HS-SCCHの復号が良好である度に、UEは、ローカルHCSN（HCSNlocal）と称される似たようなカウンタを増分する。HCSNlocalを復号されたHSCNと比較することによって、UEは、HS-SCCHメッセージ誤り率を正確に判断することができるのである。この比較に続いて、HCSNlocalは復号されたHCSNで上書きされる。
２．１  HSCNビットの数
HCSN（NHCSN）に必要とされるビットの数は、わずかなもので足りる。なぜなら、HS-SCCHの目標メッセージ誤り率は低いからである（約１％）。このような循環カウンタの長さとしては、わずか４（２ビット）のものが提案されている。統計的に独立したHS-SCCHについては、UEによって次のHS-SCCHが正しく復号される前におけるカウンタラップアラウンドの可能性は、10-8である。しかし、当然、フェージングチャンネルにおいて、HS-SCCH誤りは統計的に独立ではなく、HS-SCCHメッセージ送信間隔は、チャンネルのコヒーレンス時間に匹敵するものである。この場合、HCSNラップアラウンドは発生し、逐次の良好なHS-SCCHの復号の間のインターバル時間においてHS-SCCH誤り率の誤った推論を行うのである。しかし、このシナリオでは、EUが１つ以上の誤りが発生したことを検出しない可能性は、0.25である（これは、誤りの数がカウンタ長さ４の整数の倍数であるときに起きる）。誤りが検出された場合（ラップアラウンドが発生した場合には、７５％の可能性）、そのインターバルにおける測定誤り率は、必然的に｛２５％、５０％、７５％｝のセットのうちからなる。このように、これらは全てHS-SCCHの一般的な目標BLERよりも大幅に高いことは明らかであり、よって、いずれの場合においても、測定誤り率が若干誤っていても、アウターループによって正しい処置が行われるのである（即ち、目標SIRが増加される）。
【００３７】
従って、（NHCSN）＝２が提案されている。
２．２  HCSN信号送信の電力オーバーヘッド
新しいHCSNビットは、HS-SCCHの送信電力の増加を必要とする。
【００３８】
現在のHS-SCCHのペイロード情報は、１．２８  Mcpsに対しては２７ビットであり、３．８４  Mcpsに対しては38ビットである[6]。しかし、1/3レート畳み込み符号化器に必要とする８テールビットに加えて16ビットCRCが追加される。この結果、畳み込み符号化器への入力は、１．２８  Mcps  TDDに対しては５１ビット、３．８４  Mcps  TDDに対しては62ビットである。若干高い符号化率の結果としてのHS-SCCHの符号化利得のわずかなロスを想定して、2HCSNビットを加えたことによるHS-SCCHの電力の増加は：
1.28  Mcps
電力増＝10×log10(53/51)=0.17dB
3.84  Mcps
電力増＝10×log10(64/62)=0.14dB
このように、必要とされる電力の増加は極めて小さいことは明らかである。いずれにしても、適切で正確なHS-SCCHの電力制御によって提供されるHS-SCCH容量の効果の方が、かかる小さな欠点を大幅に上回るものである。
２．３  UEにおけるHS-SCCH誤り計算
UEは良好なHS-SCCHの間における欠落した又は誤って復号された自身を意図したHS-SCCHの数を以下のように推定することが可能である：
EΔ=(HCSN-HCSNlocal-1)mod2N_HCSN
良好なHS-SCCH（NΔ）の間においてUEに送信されたHS-SCCHの数を以下のようにも推定することが可能である：
NΔ=1+EΔ
従って、HS-SCCH誤り率は連続して査定され、得られたEΔ及びNΔを用いてアウター電力制御ループの更新に使用されることが可能である。
２．４  HS-SCCHに対するCCIフィールドの符号化及び多重化
CRC連結の前に存在するHS-SCCH多重フィールドの最後にHCSNフィールドを追加することが提案されている。現在の状況では、畳み込み符号化器の出力ビットをHS-SCCH  物理チャンネル容量にマッチングを行うために[6]の下位条項4.2.7で特定されているジェネリックリリース９９レートマッチング（generic  release  99  rate  matching）が使用される。残りの符号化及び多重化の連鎖は、HCSNビットの追加の影響を受けないのである。
２．５  UE手順
EΔ及びNΔの簡単な算出のためのUE手順は、25.224[2]に特定される必要はないのである。それは、HCSNの適切な使用を通じてHS-SCCH  BLERを推論できることを情報として提供することだけが必要とされる。
【００３９】
現在のHS-SCCH  BLER[2]を取得するためのUE手順を削除することも可能である。
２．６  ノードB手順
ノードBのために特定が必要とされる当然の手順としては、送信された各HS-SCCHにつき、UE固有HCSNが１つ増分される必要があることである。
【００４０】
再び、UEにおいては、HCSNがゼロへと初期化され、高いレイヤーによってゼロにリセットされることが可能である。
【００４１】
HS-SCCHの実際の送信電力は完全にノードBの裁量によるものであり、制御アルゴリズムは特定されないのである。
３  結論
UEのダウンリンクスロットで確認されるタイムスロット可変の性質を有する干渉を理由として、HS-SCCHのTDD電力制御手順は、FDDで使用されるそれに忠実に従うことはできない。
【００４２】
現在のRelease  5のTDD仕様をもって、HS-SCCH用のBLER性能を保証することは困難である。これは、HS-SCCH容量の劣化と併せてWG4試験の含意を有するものである。
【００４３】
この論文で発表された方式が最も見込みのある方法と考えられる。これは、以下のポイントで要約される：
１．２ビットHS-SCCH循環シーケンス番号(HCSN)が、HS-SCCH自身の中のUEに信号送信される。  
２．これにより、UEはHS-SCCHの正確なBLER予測を正しく取得することが可能になる。  
３．追加の2ビットの信号送信の伝達を行うのにHS-SCCHに必要とされる追加の電力は、1.28  Mcps  TDDに対しては、0.17  dBで、3.84  Mcps  TDDに対しては、0.14  dBである。
この方式は、以下の利点がある：
１．HS-SCCH誤り統計量の正確な推定は、HS-SCCHの連続スケジューリング或いはこれを実現するための他のスケジューリング制約に頼ることなく、UEから取得することができる。
【００４４】
２．HS-SCCH電力制御の適切なWG4検査が可能になる。
【００４５】
３．追加のダウンリンク信号送信に要求される追加の電力オーバーヘッドはほとんど無い。
【００４６】
４．HCSN信号送信を実行するには、HS-SCCHの符号化及び多重化の連鎖にわずかな変更を行うだけで足りる。
【００４７】
５．正確なHS-SCCH電力制御によって容量についての大きな利益を得ることができる。
【００４８】
６．他のワーキンググループに対する影響は最小限のものに抑えられる。
【００４９】
よって、この方式がRAN１に採用され、25.222及び25.224に対する適切なCRが容認されることを提案する。
４  参考文献
[1]  R1-02-0559  “Considerations  on  HS-SCCH  Power  Control”、LGE、RAN  WG1#25、パリ、フランス、２００２年4月９日〜１２日。  
[2]  3GPP  TS25.224v5.0.0“Physical  Layer  Procedures(TDD)(Release  5”
[3]  R1-02-0409  “Power  Control  of  HS-SCCH  for  TDD  Release  5”、IPWireless、RAN  WG1#24、オーランド、フロリダ、２００２年２月１８日〜２２日。  
[4]  R1-02-0633  “Options  for  Power  Control  of  HS-SCCH  for  TDD  Release  5”、IPWireless、RAN  WG1#25、パリ、フランス、２００２年４月９日〜１２日。  
[5]  R1-02-0293  “Power  Control  for  HS-SCCH  and  HS-SICH  for  TDD”、Siemens、RAN  WG1#24、オーランド、フロリダ、２００２年２月１８日〜２２日。  
[6]  3GPP  TS  25.222  v5.0.0、“Multiplexing  and  Channel  Coding  (TDD)(Release  5)”  
５  付録A−25.222v5.0.0に対するCR
６  付録B−25.224v5.0.0に対するCR
4.2.3.7  HS-SCCH
高いレイヤーがHS-SCCHの初期送信電力を表示する。この情報が具体的にどのように電力設定に考慮されるかはノードBの裁量によるものである。
【００５０】
初期の送信に続いて、ノードBは選択的にHS-SCCHの電力制御を行うことが可能である。これは、HS-SICHにおけるUEに送信されたTPCコマンドを使って行うことが可能である。
【００５１】
TPCビットは、適切なSIR目標と関連して測定されたHS-SCCH  SIRに基づいて、UEによって設定されることが可能である。高いレイヤーによって特定された目標HS-SCCH誤り率を得るために、目標SIRは、自律的にEUによって設定される。EUによって推定された受信HS-SCCH誤り率の正確性は、HS-SCCH自身の内部で受信されたHCSNフィールドの適切な使用を通じて向上させることが可能である[9]。
【００５２】
ノードBは、HS-SCCHがUEに送信される度に、UE固有HCSNを増分する。ノードBが使用した初期HCSNは、ゼロに設定され、更に、高いレイヤーによってゼロにリセットされることが可能である。
【００５３】
以下、本発明により教示される手段を例示的に列挙する。
【００５４】
（第１項）
通信電力制御を行う通信システムであって：
送信機において、
所定の受信機のために意図された送信の数を表す値を保有するための手段、及び
前記送信機保有手段値を通信するための手段；及び
受信機において、
前記受信機で良好に復号された最後の送信と関連する前記送信機保有手段値を保有するための手段、及び
前記受信機保有手段値と前記通信された送信機保有手段値とを比較し、これに従って送信電力制御に作用するための手段；
から構成されるシステム。
【００５５】
（第２項）
第１項記載の通信システムであって、前記送信機保有手段値を通信するための前記手段は、前記受信機へのメッセージの中に前記送信機保有手段値を送信するための手段を有する、ところの通信システム。
【００５６】
（第３項）
第１又は第２項記載の通信システムであって、前記受信機保有手段値と前記通信された送信機保有手段値とを比較し、これに従って送信電力制御に作用するための前記手段は、前記受信機内に目標SIRをそれに従って設定するための手段を有する、ところの通信システム。
【００５７】
（第４項）
第３項記載の通信システムであって、前記受信機保有手段値と前記通信された送信機保有手段値とを比較し、これに従って送信電力制御に作用するための前記手段は、TPCアップ／ダウンコマンドを調整するために前記目標SIRを使用するための手段を有する、ところの通信システム。
【００５８】
（第５項）
上記第１ないし第４項の何れか１項に記載の通信システムであって、前記送信は、HS-SCCH上で通信される、ところの通信システム。
【００５９】
（第６項）
上記第１ないし第５項の何れか１項に記載の通信システムであって、前記システムは、UMTSシステムである、ところの通信システム。
【００６０】
（第７項）
第６項記載の通信システムであって、前記システムは、TDDシステムである、ところの通信システム。
【００６１】
（第８項）
上記第１ないし第７項の何れか１項に記載の通信システムであって、前記送信機は、ノードBを有する、ところの通信システム。
【００６２】
（第９項）
上記第１ないし第８項の何れか１項に記載の通信システムであって、前記受信機は、ユーザ装置を有する、ところの通信システム。
【００６３】
（第１０項）
通信電力制御を有する通信システムに使用するための送信機であって：
所定の受信機のために意図された送信の数を表す値を保有するための手段；及び
前記送信機保有手段値を通信するための手段；
から構成される送信機。
【００６４】
（第１１項）
第１０項記載の送信機であって、前記送信機保有手段値を通信するための前記手段は、前記受信機へのメッセージの中に前記送信機保有手段値を送信するための手段を有する、ところの送信機。
【００６５】
（第１２項）
第１０又は第１１項記載の送信機であって、前記送信は、HS-SCCH上で通信される、ところの送信機。
（第１３項）
第１０、第１１、若しくは第１２項記載の送信機であって、前記システムは、UMTSシステムである、ところの送信機。
（第１４項）
第１３項記載の送信機であって、前記システムは、TDDシステムである、ところの送信機。
【００６６】
（第１５項）
第１０ないし第１４項の何れか１項に記載の送信機であって、前記送信機は、ノードBを有する、ところの送信機。
【００６７】
（第１６項）
通信電力制御を有する通信システムに使用するための受信機であって：
前記受信機で良好に復号された最後の送信と関連する前記送信機保有手段値を保有するための手段、及び
前記受信機保有手段値と前記通信された送信機保有手段値とを比較し、これに従って送信電力制御に作用するための手段；
から構成される受信機。
【００６８】
（第１７項）
第１６項記載の受信機であって、前記受信機保有手段値と前記通信された送信機保有手段値とを比較し、これに従って送信電力制御に作用するための前記手段は、前記受信機内に目標SIRをそれに従って設定するための手段を有する、ところの受信機。
【００６９】
（第１８項）
第１７項記載の受信機であって、前記受信機保有手段値と前記通信された送信機保有手段値とを比較し、これに従って送信電力制御に作用するための前記手段は、TPCアップ／ダウンコマンドを調整するために前記目標SIRを使用するための手段を有する、ところの受信機。
【００７０】
（第１９項）
第１６ないし第１８項の何れか１項に記載の受信機であって、前記送信は、HS-SCCH上で通信される、ところの受信機。
【００７１】
（第２０項）
第１６ないし第１９項の何れか１項に記載の受信機であって、前記システムは、UMTSシステムである、ところの受信機。
（第２１項）
第２０項記載の受信機であって、前記システムは、TDDシステムである、ところの受信機。
【００７２】
（第２２項）
第１６ないし第２１項の何れか１項に記載の受信機であって、前記受信機は、ユーザ装置を有する、ところの受信機。
（第２３項）
通信システムにおける電力制御のための方法であって：
送信機において、
所定の受信機のために意図された送信の数を表す値を保有する手段、及び
前記送信機保有手段値を通信する手段を提供すること；及び
受信機において、
前記受信機で良好に復号された最後の送信と関連する前記送信機保有手段値を保有する手段、及び
前記受信機保有手段値と前記通信された送信機保有手段値とを比較し、これに従って送信電力制御に作用する手段を提供すること；
から構成される方法。
【００７３】
（第２４項）
第２３項記載の方法であって、前記送信機保有手段値を通信する前記手段は、前記受信機へのメッセージの中に前記送信機保有手段値を送信する手段を有する、ところの方法。
【００７４】
（第２５項）
第２３又は第２４項記載の方法であって、前記受信機保有手段値と前記通信された送信機保有手段値とを比較し、これに従って送信電力制御に作用する前記手段は、前記受信機内に目標SIRをそれに従って設定する手段を有する、ところの方法。
【００７５】
（第２６項）
第２５項記載の方法であって、前記受信機保有手段値と前記通信された送信機保有手段値とを比較し、これに従って送信電力制御に作用する前記手段は、TPCアップ／ダウンコマンドを調整するために前記目標SIRを使用する手段を有する、ところの方法。
【００７６】
（第２７項）
第２３ないし第２６項の何れか１項に記載の方法であって、前記送信は、HS-SCCH上で通信される、ところの方法。
【００７７】
（第２８項）
第２３ないし第２７項の何れか１項に記載の方法であって、該システムは、UMTSシステムである、ところの方法。
【００７８】
（第２９項）
第２８項記載の方法であって、前記システムは、TDDシステムである、ところの方法。
【００７９】
（第３０項）
第２３ないし第２９項の何れか１項に記載の方法であって、前記送信機は、ノードBを有する、ところの方法。
【００８０】
（第３１項）
第２３ないし第３０項の何れか１項に記載の方法であって、前記受信機は、ユーザ装置を有する、ところの方法。
【００８１】
（第３２項）
第１０ないし第２２項の何れか１項に記載の送信機又は受信機から構成される集積回路。
【００８２】
（第３３項）
第２３ないし第３１項の何れか１項に記載の方法をコンピュータに実行させる電子計算機プログラム手段から構成される電子計算機プログラム素子。
【図１】
2010172017.tif 000003
【図２】
2010172017.tif 000004